【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
オーディオトラックを記述するデータを収容するオーディオデータファイルと、静止画像を記述するデータを収容するビデオデータファイルとを読み取るように構成されたメモリ媒体リーダーと、
前記オーディオデータファイル及び前記ビデオデータファイルをデコードし、
前記静止画像と前記オーディオトラックとの間の関連付けをリアルタイムで作成し、
前記静止画像及び前記オーディオトラックを備えるスライドショーを生成する
ように構成されたプロセッサ回路と、
を備えることを特徴とする機構。
【請求項２】
オーディオトラックを持つ静止画像スライドショーを生成するように構成された集積回路チップ、
を備えることを特徴とするデジタル多用途ディスク(DVD)プレーヤー。
【請求項３】
メモリ媒体上に記録されたオーディオデータファイル及びビデオデータファイルを読み取るように構成されたメモリ媒体リーダー、
をさらに備える請求項２に記載のDVDプレーヤー。
【請求項４】
オーディオトラックを記述するデータを収容するオーディオデータファイル、及び静止画像を記述するデータを収容するビデオデータファイルをデコードし、
前記静止画像と前記オーディオトラックとの間の関連付けをリアルタイムで作成し、
前記静止画像及び前記オーディオトラックを備えるスライドショーを生成する
ステップを含むことを特徴とする方法。
【請求項５】
前記オーディオデータファイル及び前記ビデオデータファイルをメモリ媒体リーダーから受け取るステップ、
をさらに含む請求項４に記載の方法。
【請求項６】
前記プロセッサ回路が集積回路チップを備える、
請求項１又は４に記載の発明。
【請求項７】
前記集積回路チップが汎用プロセッサを備えない、
請求項２又は６に記載の発明。
【請求項８】
オーディオトラックを記述するデータを収容するオーディオデータファイルと、静止画像を記述するデータを収容するビデオデータファイルとをデコードする手段と、
前記静止画像と前記オーディオトラックとの間の関連付けを、リアルタイムで作成する手段と、
前記静止画像及び前記オーディオトラックを備えるスライドショーを生成する手段と、
を備えることを特徴とするシステム。
【請求項９】
前記デコードする手段が、メモリ媒体リーダーを含む
請求項８に記載のシステム。
【請求項１０】
前記オーディオデータファイルが圧縮データファイルのフォーマットを備える、
請求項１、３、又は８に記載の発明。
【請求項１１】
前記ビデオデータファイルが圧縮データファイルのフォーマットを備える、
請求項１、３、又は８に記載の発明。
【請求項１２】
前記メモリ媒体リーダーが光ディスクドライブを備える、
請求項１、３、５、又は９に記載の発明。
【請求項１３】
前記光ディスクドライブがDVDドライブを備える、
請求項１０に記載の発明。
【請求項１４】
前記メモリ媒体リーダーがハードディスクドライブを備える、
請求項１、３、５、又は９に記載の発明。
【請求項１５】
前記メモリ媒体リーダーが、ある形式の持ち運び可能なメモリ媒体を読み取るように構成されたリーダーを備える、
請求項１４に記載の発明。
【請求項１６】
前記メモリ媒体リーダーが第一のリーダー及び第二のリーダーを備え、前記オーディオデータファイル及び前記ビデオデータファイルを前記第一のリーダー及び前記第二のリーダーの一方又は双方から取得する、
請求項１、３、５、又は９に記載の発明。
【請求項１７】
前記第一のリーダーがDVDドライブを備え、前記第二のリーダーがハードディスクドライブを備える、
請求項３、５、又は１６に記載の発明。
【請求項１８】
前記第一のリーダーがDVDドライブを備え、前記第二のリーダーが、ある形式の持ち運び可能なメモリ媒体を読み取るように構成されたデバイスを備える、
請求項３、５、又は１６に記載の発明。
【請求項１９】
前記第一のリーダーがハードディスクドライブを備え、前記第二のリーダーが、ある形式の持ち運び可能なメモリ媒体を読み取るように構成されたデバイスを備える、
請求項３、５、又は１６に記載の発明。
【請求項２０】
前記光ディスクドライブが、コンパクトディスク読み出し専用メモリ(CD-ROM)、コンパクトディスクデジタルオーディオ(CD-DA)、書き込み可能コンパクトディスク(CD-R)、書き換え可能コンパクトディスク(CD-RW)、ビデオコンパクトディスク(VCD)、スーパービデオコンパクトディスク(SVCD)、デジタル多用途ディスク読み出し専用メモリ(DVD-ROM)、書き込み可能デジタル多用途ディスク(DVD-R)(DVD+R)、書き換え可能デジタル多用途ディスク(DVD-RW)(DVD+RW)、デジタル多用途ディスクランダムアクセスメモリ(DVD-RAM)、デジタル多用途ディスクビデオフォーマット(DVD-Video)、デジタル多用途ディスクオーディオフォーマット(DVD-Audio)、及びデジタル多用途ディスクビデオ書き込み(DVD-VR)から成るフォーマットの集合から光ディスクフォーマットを読み取るようにされた、
請求項１２に記載の発明。
【請求項２１】
前記集積回路チップが、オーディオトラックを収容するオーディオデータファイル、及び静止画像を収容するビデオデータファイルをデコードするようにさらに構成された、
請求項２に記載のDVDプレーヤー。
【請求項２２】
前記プロセッサ回路が、前記オーディオデータファイルのデコードに交互に前記ビデオデータファイルのデコードを挟み込むようにさらに構成された、
請求項１、４、又は２１に記載の発明。
【請求項２３】
前記オーディオトラックが、一又はそれ以上のオーディオデータファイル内に記録された複数のオーディオトラックの1つであり、前記静止画像が、一又はそれ以上のビデオデータファイル内に記録された複数の静止画像の1つであり、かつ、前記関連付けが、前記静止画像の各々を所定の時間の間表示し、前記静止画像を表示する間に、前記オーディオトラックの各々を順番に再生する方式を備える、
請求項１、４、８、又は２１に記載の発明。
【請求項２４】
前記オーディオトラックが、一又はそれ以上のオーディオデータファイル内に記録された複数のオーディオトラックの1つであり、前記静止画像が、一又はそれ以上のビデオデータファイル内に記録された複数の静止画像の1つであり、かつ、前記関連付けが、前記静止画像の各々を所定の時間の間表示し、一又はそれ以上の前記静止画像を表示する間に、選択されたオーディオトラックを再生する方式を備える、
請求項１、４、８、又は２１に記載の発明。
【請求項２５】
前記オーディオトラックが、一又はそれ以上のオーディオデータファイル内に記録された複数のオーディオトラックの1つであり、前記静止画像が、一又はそれ以上のビデオデータファイル内に記録された複数の静止画像の1つであり、かつ、前記関連付けが、前記静止画像の各々を所定の時間の間表示し、前記静止画像を表示する間に、前記オーディオトラックのサブセットを備える選択された再生リストを順番に再生する方式を備える、
請求項１、４、８、又は２１に記載の発明。
【請求項２６】
前記オーディオトラックが、一又はそれ以上のオーディオデータファイル内に記録された複数のオーディオトラックの1つであり、前記静止画像が、一又はそれ以上のビデオデータファイル内に記録された複数の静止画像の1つであり、かつ、前記関連付けが、前記静止画像のサブセットを備える選択された画像再生リストを各々所定の時間の間表示し、前記静止画像を表示する間に、前記オーディオトラックのサブセットを備える選択されたオーディオ再生リストを順番に再生する方式を備える、
請求項１、４、８、又は２１に記載の発明。
【請求項２７】
前記オーディオトラックが、一又はそれ以上のオーディオデータファイル内に記録された複数のオーディオトラックの1つであり、前記静止画像が、一又はそれ以上のビデオデータファイル内に記録された複数の静止画像の1つであり、かつ、前記関連付けが、第一の選択されたオーディオトラックを第一の静止画像と共に再生し、第二の選択されたオーディオトラックを第二の静止画像と共に再生する方式を備える、
請求項１、４、８、又は２１に記載の発明。
【請求項２８】
前記オーディオトラックが、一又はそれ以上のオーディオデータファイル内に記録された複数のオーディオトラックの1つであり、前記静止画像が、一又はそれ以上のビデオデータファイル内に記録された複数の静止画像の1つであり、かつ、前記関連付けが、前記オーディオトラックの各々を順番に再生し、前記オーディオトラックの各々を再生する間に新しい静止画像を表示する方式を備える、
請求項１、４、８、又は２１に記載の発明。
【請求項２９】
前記プロセッサ回路にコマンドを送って、前記画像と前記オーディオトラックとの間の前記関連付けを選択するように構成されたリモコン装置、
をさらに備える請求項１に記載の発明。
【請求項３０】
前記集積回路チップが、前記オーディオデータ及び前記ビデオデータを伸張するようにさらに構成された、
請求項２１に記載のDVDプレーヤー。
【請求項３１】
前記スライドショーが静止画像を備え、前記集積回路チップが、前記静止画像と前記オーディオトラックとの間の関連付けをリアルタイムで作成するようにさらに構成された、
請求項２に記載のDVDプレーヤー。
【請求項３２】
前記持ち運び可能なメモリ媒体が、ある形式のフラッシュメモリデバイスを備える、
請求項１５、１８、又は１９に記載の発明。